(57)【要約】【課題】ダッシュボードに車体価格表示具を置いた跡がついたりすることなく、しかも位置ずれしたり、傾いたり、倒れたりすることがなく、価格表示がし易く、非常に安価なものとなり、また取り扱い易くなり、保管する場合にも便利なものとなる車体価格表示具を提供する。【解決手段】合成樹脂性シートからなる表示具本体１の表面１ａに車体価格表示部２を設けると共に、この車体価格表示部２以外の表示具本体１の表面１ａの一部を、車のフロントガラスＦの裏面への貼着部３としたものとしている。【選択図】        図１
2004301922.tif 000002
【特許請求の範囲】
【請求項１】
合成樹脂性シートからなる表示具本体（１）の表面（１ａ）に車体価格表示部（２）を設けると共に、この車体価格表示部（２）以外の表示具本体（１）の表面（１ａ）の一部を、車のフロントガラス（Ｆ）の裏面への貼着部（３）としたことを特徴とする車体価格表示具。
【請求項２】
前記合成樹脂性シートを、透明の耐熱、耐候性樹脂シートとしたことを特徴とする請求項１記載の車体価格表示具。
【請求項３】
前記車体価格表示部（２）が、数字カード（４）の貼着部（５）を有したものとしたことを特徴とする請求項１記載の車体価格表示具。
【請求項４】
前記貼着部（３）が、汚れて粘着性がなくなったり弱くなったりしても、その汚れを取ることにより粘着性を回復するものとしたことを特徴とする請求項１記載の車体価格表示具。
【発明の詳細な説明】
【０００１】
【発明の属する技術分野】
この発明は、主に展示場で販売されている中古車のフロントガラスに直接貼り付けて、その車体価格を表示するための車体価格表示具に関するものである。
【０００２】
【従来の技術】
従来、この種の車体価格表示具は、中古車の販売にあたり、不正等の表示防止のため中古車公正取引委員会による価格表示をすること、及びその他の必要事項の表示をすることが義務付けられている。
【０００３】
そのため、従来の車体価格表示具は、図９に示したように、鉄板や合成樹脂板よりなる表示具本体１１の表面１１ａに、車体価格表示部１２および中古車の詳細表示部１３が設けられている（例えば、非特許文献１参照）。
【０００４】
前記車体価格表示具は、図１０、１１に示したように、それ専用の保持具２１を使用して、車体価格表示部１２および中古車の詳細表示部１３を車のフロントガラスＦの裏面に面するようにして、車内のダッシュボードＤの上に置くようにしている。保持具２１は、表示具本体１１の裏面の略中央から上方向に突設した金属枠体としており、その上端部をルームミラーＭに引っ掛けておくようにしている。
【０００５】
【非特許文献１】
月刊「中販連」１９９８年１１月号、社団法人日本中古自動車販売協会連合会、１９９８年１０月２５日発行、ｐ．４２
【０００６】
【発明が解決しようとする課題】
しかしながら、従来の車体価格表示具は、ダッシュボードＤに車体価格表示具を置いた跡がついたりすることにより、車体の価値を低下させてしまうことがあるという問題点を有していた。
【０００７】
そこで、この発明は、上記従来の問題点を解決することをその課題としており、ダッシュボードに車体価格表示具を置いた跡がついたりすることなく、しかも位置ずれしたり、傾いたり、倒れたりすることがなく、価格表示がし易く、非常に安価なものとなり、また取り扱い易くなり、保管する場合にも便利なものとなる車体価格表示具を提供することを目的としてなされたものである。
【０００８】
【課題を解決するための手段】
そのため、この発明の車体価格表示具は、合成樹脂性シートからなる表示具本体１の表面１ａに車体価格表示部２を設けると共に、この車体価格表示部２以外の表示具本体１の表面１ａの一部を、車のフロントガラスＦの裏面への貼着部３としたものとしている。
【０００９】
さらに、この発明の車体価格表示具は、前記合成樹脂性シートを、透明の耐熱、耐候性樹脂シートとしている。
【００１０】
また、この発明の車体価格表示具は、前記車体価格表示部２が、数字表示カード４の貼着部５を有したものとしている。
【００１１】
また、この発明の車体価格表示具は、前記貼着部３が、汚れて粘着性がなくなったり弱くなったりしても、その汚れを取ることにより粘着性を回復するものとしている。
【００１２】
【発明の実施の形態】
以下、この発明の車体価格表示具の実施の形態について、図面に基づいて詳細に説明する。
【００１３】
この発明の車体価格表示具は、図１〜４に示したように、合成樹脂性シートからなる表示具本体１の表面１ａに車体価格表示部２を設けている。そして、この車体価格表示部２以外の表示具本体１の表面１ａの一部を、車のフロントガラスＦの裏面への貼着部３としている。
【００１４】
図１、２に示したこの発明の車体価格表示具は、表示具本体１の表面１ａの上下辺部に透明または不透明の粘着性樹脂を塗布することにより粘着性樹脂層を設け、この上下辺部を車のフロントガラスＦの裏面への貼着部３としている。図３、４に示したこの発明の車体価格表示具は、表示具本体１の表面１ａの四隅に透明または不透明の粘着性樹脂製シールを貼り付けることにより粘着性樹脂層を設け、この四隅を車のフロントガラスＦの裏面への貼着部３としている。
【００１５】
ところで、この種の車体価格表示具は、中古車販売業者の屋外展示場で使用され、特に夏場は最低車体内温度２０°Ｃから最高車体内温度８０°Ｃまでの温度差に耐える条件が必須であり、機能的にも耐候性、耐熱性が求められている。したがって、前記表示具本体１は、その厚みを０．０７５〜０．５ｍｍ程度とし、ポリエステル樹脂、ポリカーボネート樹脂、ペット樹脂（ポリエチレンテレフタレート）などからなる透明の耐候、耐熱性樹脂を使用している。なお、これらの樹脂は、産業廃棄物として埋立て処理しても毒性がほとんどなく、焼却処理しても有害ガスが発生することがなく、また再生処理することも可能であるので、これらの樹脂を使用した表示具本体１は、公害問題の発生も少なく地球環境に優しいものとなる。
【００１６】
前記車体価格表示部２は、合成樹脂性シートに０〜９までの数字を印刷した数字カード４の貼着部５を有したものとしている。この貼着部５は、前記貼着部３と同様の粘着性樹脂層とすることができる。また、前記車体価格表示部２は、ホワイトボード用のマーカーなどによって数字を書いたり、書いた数字を消して書き換えることができるようにしてもよい。
【００１７】
また、前記表示具本体１の表面１ａには、必要に応じて、透明または不透明のの剥離シート６を貼り付けたものとしている。
【００１８】
さらに、車体価格表示部２の上下方には、価格表示の条件である中古車の詳細表示部７を設けたものとしている。この詳細表示部７は、車名欄７ａ、車検有効期限欄７ｂ、走行距離数欄７ｃなどの表示を義務付けられている各欄からなり、その内容をホワイトボード用のマーカーなどによって書き換えることができるようにしている。
【００１９】
前記粘着部３は、自己吸着性を有し、ソフトな感触を有したアクリルフォームなどからなる粘着性樹脂層とし、汚れたりして粘着性がなくなったり弱くなったりしても、水洗いするなどしてその汚れを取ることにより粘着性を回復するものとしており、ＰＥＴフィルム面への貼着力が約２５〜４５Ｎ／２５ｍｍであるものとし、車体価格表示部２の表面積の約３〜１０％となるようにしている。このようにすれば、使用中に、車体価格表示具が車のフロントガラスＦの裏面から剥がれ落ちたり、ずれたりすることがないものとなると共に、表示具本体１の表面１ａに充分な広さの車体価格表示部２および詳細表示部７を確保することができる。
【００２０】
前記剥離シート６は、シリコン加工などを施して粘着部３との粘着力を弱めたりしたものとしており、この粘着部３が汚れないように、使用前に表示具本体１の表面１ａに貼り付けておくものであり、使用時には表示具本体１の表面１ａから簡単に剥がせるようにしている。
【００２１】
以上のように構成したこの発明の車体価格表示具を使用するには、表示具本体１の表面１ａから剥離シート６を剥がし、車体価格表示部２に数字カード４を貼り付けることにより車体価格を表示すると共に、詳細表示部７の車名欄７ａに車名を、車検有効期限欄７ｂに車検有効期限を、走行距離数欄７ｃに走行距離数など表示を義務付けられた要項をホワイトボード用のマーカーなどによってそれぞれ表示し、その他の各欄にも必要事項を表示してから、表示具本体１の表面１ａを車のフロントガラスＦの裏面へ押し当てれば、図５〜８に示したように、粘着部３によってフロントガラスＦの裏面に貼り付けることができる。そして、車の売買が成立した場合など、車体価格表示具が不要になれば、その貼り付けた表示具本体１の角部を手指で摘むなどして、フロントガラスＦの裏面から剥がせばよい。
【００２２】
この場合、前記表示具本体１をフロントガラスＦの裏面から剥がしても、粘着部３が自己吸着性を有するアクリルフォームなどからなる表示具本体１の表面１ａとしているので、表示具本体１を剥がしたフロントガラスＦの裏面には粘着部３の跡が残ることがないものとなる。また、この剥がした表示具本体１は、汚れたりして粘着性がなくなったり弱くなったりしても、粘着部３を水で洗うか、濡れた布で拭くなどして汚れを取れば元の粘着力を回復するので、再使用することができる。
【００２３】
【発明の効果】
この発明の車体価格表示具は、以上に述べたように構成されているので、ダッシュボードＤに車体価格表示具を置いた跡がついたりすることなく、しかも位置ずれしたり、傾いたり、倒れたりすることのないものとなる。
【００２４】
また、この発明の車体価格表示具は、価格表示がし易く、再使用可能で耐候性や耐熱性に優れており、非常に安価なものとなり、従来の鉄板からなる合成樹脂板よりなる車体価格表示具に比べ非常に軽量であるので、取り扱い易くなり、保管する場合にも便利なものとなる。
【図面の簡単な説明】
【図１】この発明の車体価格表示具の一実施形態の正面図である。
【図２】図１に示すこの発明の車体価格表示具の車体価格表示部に車体価格を表示した状態の正面図である。
【図３】この発明の車体価格表示具の他の実施形態の正面図である。
【図４】図３に示すこの発明の車体価格表示具の車体価格表示部に車体価格を表示した状態の正面図である。
【図５】図１に示すこの発明の車体価格表示具を車のフロントガラスの裏面に貼り付けた状態の側断面図である。
【図６】図１に示すこの発明の車体価格表示具を車のフロントガラスの裏面に貼り付けた状態を、そのフロントガラスの表面側から見た説明図である。
【図７】図３に示すこの発明の車体価格表示具を車のフロントガラスの裏面に貼り付けた状態の側断面図である。
【図８】図３に示すこの発明の車体価格表示具を車のフロントガラスの裏面に貼り付けた状態を、そのフロントガラスの表面側から見た説明図である。
【図９】従来の車体価格表示具の一例を示す斜視図である。
【図１０】従来の車体価格表示具を支持具で支持している状態を示す側面図である。
【図１１】従来の支持具で支持された車体価格表示具を、車のフロントガラスの表面側から見た説明図である。
【符号の説明】
１  表示具本体
１ａ  表面
２  車体価格表示部
３  貼着部
４  剥離シート
５  貼着部
Ｆ  フロントガラス
【図１】
2004301922.tif 000003
【図２】
2004301922.tif 000004
【図３】
2004301922.tif 000005
【図４】
2004301922.tif 000006
【図５】
2004301922.tif 000007
【図６】
2004301922.tif 000008
【図７】
2004301922.tif 000009
【図８】
2004301922.tif 000010
【図９】
2004301922.tif 000011
【図１０】
2004301922.tif 000012
【図１１】
2004301922.tif 000013